【事件の表示】
　平成　８年特許願第１６６７１１号「医療用針鞘」拒絶査定不服審判事件〔平成　９年１２月１６日出願公開、特開平　９−３２２９３７号〕について、次のとおり審決する。
【結　論】
　本件審判の請求は、成り立たない。
【理　由】
１．手続の経緯及び本願発明
　本願は、平成８年６月５日の出願であって、その請求項１に係る発明（以下、「本願発明」という。）は、平成２０年１０月６日付け手続補正書により補正された特許請求の範囲の請求項１に記載された事項により特定される次のとおりのものである。
　
「【請求項１】　医療用針を収納する際に手で保持しなくても、医療用針を収納しやすいように医療用針に対して挿入口を開放しつつ安定的に自立するように形成された、収納体と、前記収納体を転倒しないよう支持するための支持手段とを含み、
　前記収納体は、挿入された医療用針の根元を脱着自在に嵌合できるように弾力を有する合成樹脂で有底筒状に形成され、その内部に医療用針を収納する内径および深さを有し且つその内部に収納された医療用針を完全に被覆する、空洞部を形成され、前記空洞部が一端部に医療用針を挿し入れて注射針の根元を嵌合する為の挿入口を有し、
　前記支持手段は、前記収納体の前記挿入口とは反対側の他端部に、前記収納体の長軸と直交する方向へ張り出し形成された、片部材によって構成され、
　前記片部材は、前記収納体を載置された面上において安定的に支持するように、前記収納体の外径より大きい直径を有する略円盤形状に形成され且つ前記収納体と一体的に形成され、
　前記収納体は、医療用針を収納体内へ挿入し、その根元を挿入口に嵌合することにより片部材を載置された面上において転倒せずに安定的に支持されるように形成され、
　前記支持手段を構成する片部材は、載置すべき面に少なくとも一時的に片部材を接着するための接着材を備え、
　前記支持手段の接着材は、一方の面に片部材と強固に接着する接着剤層が形成されるとともに他方の片部材を載置すべき面に少なくとも一時的に片部材を接着するための粘着剤層が形成された両面テープであり、且つ、前記片部材を載置された面に接着するための粘着剤層は、不使用時に剥離ライナーで覆われている、医療用針鞘。」
　
２．刊行物に記載された発明
　当審において通知した拒絶の理由に引用された、本願出願前に頒布された刊行物である特開平１−２７７５７１号公報（以下、「刊行物１」という。）には、下記の事項が図面とともに記載されている。
　
ア．「（２）一端が開口し他端が閉じている細長い中空形状であって針管組立体の針管を収容して保護し得るとともに、入口部内周がハブに被嵌し得るようになっているプロテクター本体と、 
 該プロテクター本体の閉塞端に該プロテクター本体とほぼ垂直にほぼ中央部を一体連結されたプレートであって、プロテクター本体と反対側の面をテーブル等の平面に載置もしくは密着し得、かつ、該密着時に該プロテクター本体を起立状態に支持するスタンドプレートとからなることを特徴とする針管用プロテクター。」（【特許請求の範囲】請求項２）
 　 
 イ．「［産業上の利用分野］ 
 本発明は、紛失の虞れがなく針管を収納する際に持つ必要がなく手を刺す虞れがない針管用プロテクターに関するものである。」（第１頁右下欄第７〜１０行） 
 　 
 ウ．「また第２図に示すように、 
 　一端が開口し他端が閉じている細長い中空形状であって針管組立体の針管を収容して保護し得るとともに、入口部内周がハブに被嵌し得るようになっているプロテクター本体１と、 
 　該プロテクター本体１の閉塞端１ａに該プロテクター本体１とほぼ垂直にほぼ中央部を一体連結されたプレートであって、プロテクター本体ｌと反対側の面をテーブル等の平面に載置もしくは密着し得、かつ、該密着時に該プロテクター本体ｌを起立状態に支持するスタンドプレート３とからなることを特徴とするものである。 
 　いずれの場合も、前記スタンドプレート３は、前記テーブル等の平面との密着面に粘着膜が塗布されているか、磁石板が付設されているか、全体がプラスチック磁石より形成されてなるか、あるいは吸盤として形成されていれば、前記テーブル等の平面に載置もしくは密着し得る。」（第２頁右上欄第１４行〜同頁左下欄第１１行） 
 　 
 エ．「［発明の効果］ 
 　以上述べたように本発明の針管用プロテクターは、 
 　細長い中空形状のプロテクター本体の閉塞端にスタンドプレートを一体成形によりまたは別部材として備えて、該スタンドプレートをテーブル等に密着してプロテクター本体を入口部が上にくるように起立させられる構成であるので、 
 　使用後は注射装置を針管を下向きに保持し、針先をプロテクター本体の入口部内に位置させてから下降させて、ハブにプロテクター本体１の入口部内周を嵌合させ、プロテクター本体１を把持して取外せば、針管をプロテクトすることができ、針管を収納する際に持つ必要をなくして手を刺す虞れがなくなるととも、紛失の虞れがない。」（第２頁右下欄第１３行〜第３頁左上欄第７行） 
 　 
 オ．第１図には、プロテクター本体１の外径よりも大きい盤形状のスタンドプレート３が図示されていると共に、第２図には、プロテクター本体１の閉塞端１ａに該プロテクター本体１とほぼ垂直にほぼ中央部を一体連結され、プロテクター本体ｌを起立状態に支持する略円盤状プレートであって、プロテクター本体ｌと反対側の面をテーブル等の平面に載置もしくは密着し得、かつ、該密着時に該プロテクター本体ｌを起立状態に支持するスタンドプレート３が図示されている。 
 　 
 　これら記載事項及び図示内容を総合し、本願発明の記載ぶりに則って整理すると、刊行物１には、次の発明（以下、「引用発明」という。）が記載されている。 
 　 
 「針管を収納する際に持つ必要がなく、一端が開口し針管を収容して保護し得るプロテクター本体と、該プロテクター本体と反対側の面をテーブル等の平面に載置もしくは密着し得、かつ、密着時に該プロテクター本体を入口部が上にくるように起立状態に支持するスタンドプレートとからなり、前記プロテクター本体は、一端が開口し他端が閉じている細長い中空形状であって針管組立体の針管を収容して保護し得るよう形成され、針管を下向きに保持し、針先をプロテクター本体の入口部内に位置させてから下降させて、ハブにプロテクター本体の入口部内周が被嵌し得るようになっており、前記スタンドプレートは、前記プロテクター本体の閉塞端に、前記プロテクター本体とほぼ垂直にほぼ中央部を一体連結され、プロテクター本体を起立状態に支持する略円盤状プレートであり、前記スタンドプレートは、テーブル等の平面との密着面に粘着膜が塗布されている針管用プロテクター。」 
　
３．対比・判断
　本願発明と引用発明とを対比すると、それぞれの有する機能からみて、引用発明の「針管」は本願発明の「医療用針」に相当する。以下同様に、「プロテクター本体」は「収納体」に、「スタンドプレート」は「支持手段」に、「ハブ」は「医療用針の根元」に、「入口部」は「挿入口」に、「略円盤状プレート」は「片部材」に、「粘着膜」は「接着材」に、「針管用プロテクター」は「医療用針鞘」に相当する。
　そして、引用発明も、「一端が開口し針管を収容して保護し得るプロテクター本体」と、「該プロテクター本体を」「起立状態に支持するスタンドプレート」とからなるものであるとともに、「プロテクター本体」は「起立状態に支持」されるものである以上、程度の差はあっても「安定的に自立するように形成され」ている必要があることは言うまでもないから、本願発明における「医療用針を収納しやすいように医療用針に対して挿入口を開放しつつ安定的に自立するように形成された、収納体と、前記収納体を転倒しないよう支持するための支持手段と」を含むものと言うことができる。
　また、引用発明においては、「前記プロテクター本体は、一端が開口し他端が閉じている細長い中空形状であって針管組立体の針管を収容して保護し得るよう形成され、針管を下向きに保持し、針先をプロテクター本体の入口部内に位置させてから下降させて、ハブにプロテクター本体の入口部内周が被嵌し得るようになって」（以下、「技術事項ａ」という。）いるから、「前記収納体は、挿入された医療用針の根元を脱着自在に嵌合できるように有底筒状に形成され、その内部に医療用針を収納する内径および深さを有し且つその内部に収納された医療用針を完全に被覆する、空洞部を形成され、前記空洞部が一端部に医療用針を挿し入れて注射針の根元を嵌合する為の挿入口を有し」ているものと言うことができる。
　そして、引用発明は、「前記スタンドプレートは、前記プロテクター本体の閉塞端に、前記プロテクター本体とほぼ垂直にほぼ中央部を一体連結され、プロテクター本体を起立状態に支持する略円盤状プレート」（以下、「技術事項ｂ」という。）であるから、「前記支持手段は、前記収納体の前記挿入口とは反対側の他端部に、前記収納体の長軸と直交する方向へ張り出し形成された、片部材によって構成され、前記片部材は、前記収納体を載置された面上において安定的に支持するように、略円盤形状に形成され且つ前記収納体と一体的に形成され」ているものと言うことができる。
　また、引用発明は、上記技術事項ａ及び技術事項ｂから、本願発明における、「前記収納体は、医療用針を収納体内へ挿入し、その根元を挿入口に嵌合することにより片部材を載置された面上において転倒せずに安定的に支持されるように形成され」たものと言うことができる。
　さらに、引用発明の、「スタンドプレート」に塗布された「粘着膜」は、本願発明における、「載置すべき面に少なくとも一時的に片部材を接着する」との機能を奏することができる「接着材」である。
　
　したがって、本願発明と引用発明とは、本願発明の用語を用いて表現すれば下記の一致点及び相違点を有する。
　
（一致点）
「医療用針を収納する際に手で保持しなくても、医療用針を収納しやすいように医療用針に対して挿入口を開放しつつ安定的に自立するように形成された、収納体と、前記収納体を転倒しないよう支持するための支持手段とを含み、
　前記収納体は、挿入された医療用針の根元を脱着自在に嵌合できるように有底筒状に形成され、その内部に医療用針を収納する内径および深さを有し且つその内部に収納された医療用針を完全に被覆する、空洞部を形成され、前記空洞部が一端部に医療用針を挿し入れて注射針の根元を嵌合する為の挿入口を有し、
　前記支持手段は、前記収納体の前記挿入口とは反対側の他端部に、前記収納体の長軸と直交する方向へ張り出し形成された、片部材によって構成され、
　前記片部材は、前記収納体を載置された面上において安定的に支持するように、略円盤形状に形成され且つ前記収納体と一体的に形成され、
　前記収納体は、医療用針を収納体内へ挿入し、その根元を挿入口に嵌合することにより片部材を載置された面上において転倒せずに安定的に支持されるように形成され、
　前記支持手段を構成する片部材は、載置すべき面に少なくとも一時的に片部材を接着するための接着材を備えている、医療用針鞘。」
（相違点１）
　収納体について、本願発明では、弾力を有する合成樹脂で形成されているのに対し、引用発明ではそのような限定がない点。
（相違点２）
　片部材について、本願発明では、収納体の外径より大きい直径を有するのに対し、引用発明ではそのような限定がない点。
（相違点３）
　支持手段の接着材が、本願発明では、一方の面に片部材と強固に接着する接着剤層が形成されるとともに他方の片部材を載置すべき面に少なくとも一時的に片部材を接着するための粘着剤層が形成された両面テープであり、且つ、前記片部材を載置された面に接着するための粘着剤層は、不使用時に剥離ライナーで覆われているのに対し、引用発明では、密着面に粘着膜が塗布されているにとどまる点。
　
　以下、上記相違点について検討する。
（相違点１について） 
　一般に、医療用針を収容して保護する収納体（プロテクター、キャップ）の材質として弾力を有する合成樹脂で形成することは、従来周知［例えば、特公昭６１−５９７３９号公報、特開平６−３２７７７２号公報、等参照］であることに鑑みれば、引用発明において、医療用針を収容して保護する収納体（プロテクター本体）の材質として弾力を有する合成樹脂で形成することは、当業者であれば必要に応じて適宜選択採用し得る設計的事項にすぎない。
 　 
（相違点２について） 
　２．オ．より、刊行物１の第１図には、プロテクター本体１の外径よりも大きい盤形状のスタンドプレート３が図示されており、また、一般に底板の径を大きくして安定化を図ることは慣用手段であるから、引用発明において、略円盤形状の片部材（スタンドプレート）を収納体（プロテクター本体）の外径より大きい直径とすることは、当業者であれば必要に応じて適宜なし得る設計的事項にすぎない。 
 　 
（相違点３について） 
　一般に載置すべき面への器具の取り付けにあたって、一方の面に器具と強固に接着する接着剤層が形成され、且つ、他方の載置すべき面に少なくとも一時的に器具を接着するための粘着剤層が形成されると共に不使用時に剥離紙等の剥離ライナーで覆われている両面テープを用いることは、従来周知の技術事項［例えば、特公平１−５４３９４号公報、特開昭６３−６１０２５号公報、等参照］であるから、引用発明に該周知の技術事項を適用して、密着面に粘着膜が塗布されることにて取り付ける代わりに、一方の面に片部材と強固に接着する接着剤層が形成され、且つ、他方の載置すべき面に少なくとも一時的に収納体を接着するための粘着剤層が形成された両面テープであり、且つ、前記収納体を接着するための粘着剤層は、不使用時に剥離ライナーで覆われている接着材を用いて取り付けるよう構成することは、当業者であれば容易に想到し得たことにすぎないものと認める。 
　
　そして、本願発明による効果も、引用発明及び周知の技術事項から、当業者が予測しうる範囲内のものであって、格別のものとはいえない。
　
４．むすび
　したがって、本願発明は、引用発明及び周知の技術事項に基づいて当業者が容易に発明をすることができたものであるから、特許法第２９条第２項の規定により特許を受けることができない。
　よって、結論のとおり審決する。